(57)【要約】      （修正有）【課題】鉱石粉の効果を十分に発揮させられる容器及びトルマリンの塗布方法の提供。【解決手段】容器１は、本体２と、脚部３と、載置部４とを備えている。本体２は、有底円筒状を呈しており、内側に飲料等が収容される。脚部３は、本体２の底面から下方に延びており、円形の断面形状を有している。載置部４は、脚部３の下端に接続されており、円板状を呈している。本体２の外側面には、トルマリンの鉱石粉を含んだ物質５が塗布されている。物質５としては、水性塗料，漆等の口に入れても問題ないものが用いられている。鉱石粉は、０．３〜５０ミクロンの粒度に揃えられている。物質５は、鉱石粉を塗料に３３重量％〜６０重量％混合して形成されている。物質５を本体２の外側面に刷毛等で塗布して乾かす工程は、３〜５５回繰り返されている。また、物質５は、本体２の外側面に３６ｃｍ２以上の面積となるよう塗布されている。【選択図】図１
2015127268.tif 000002
【特許請求の範囲】
【請求項１】
トルマリンの鉱石粉を含んだ物質が塗布されていることを特徴とする容器。
【請求項２】
前記物質には、前記鉱石粉が乾燥前重量比、３３重量％〜６０重量％混合していることを特徴とする請求項１に記載の容器。
【請求項３】
前記物質は、漆或は非石油系水性塗料であることを特徴とする請求項１又は２に記載の容器。
【請求項４】
前記鉱石粉は、０．３〜５０ミクロンの粒度であることを特徴とする請求項１〜３の何れかに記載の容器。
【請求項５】
前記物質を塗布して乾かす工程を３〜５５回繰り返して形成されていることを特徴とする請求項１〜４の何れかに記載の容器。
【請求項６】
前記物質は、前記鉱石粉が前記容器の表面に０．５ｇ／ｃｍ２以上付着するよう塗布されていることを特徴とする請求項１〜５の何れかに記載の容器。
【請求項７】
前記物質を焼成して形成されたものを除くことを特徴とする請求項１〜６の何れかに記載の容器。
【請求項８】
上縁部には前記物質が塗布されていないことを特徴とする請求項１〜７の何れかに記載の容器。
【請求項９】
ワイングラス、デカンタ又はカラフェであることを特徴とする請求項１〜８の何れかに記載の容器。
【請求項１０】
トルマリンの鉱石粉を含んだ物質を塗布する塗布工程と、
該塗布工程で塗布した前記物質を乾かす工程とを含み、
前記塗布工程で塗布した前記物質を焼成する工程を含まないことを特徴とするトルマリン塗布方法。
【発明の詳細な説明】
【技術分野】
【０００１】
本発明は、鉱石粉の効果を発揮する容器及びトルマリン塗布方法に関する。
【背景技術】
【０００２】
この種の容器は、下記の特許文献１に開示されている。特許文献１では、トルマリンが混合された陶器用粘土を所定の形状に成形して乾燥した後、素焼きを行い、さらに釉薬を塗布して焼成することで、陶器が製造されている。
【先行技術文献】
【特許文献】
【０００３】
【特許文献１】特開２００１−１８１０２１号公報
【発明の概要】
【発明が解決しようとする課題】
【０００４】
しかしながら、上記従来の陶器では、焼成することで陶器に含まれたトルマリンの効果が十分に発揮されなくなるという問題があった。
【０００５】
本発明は斯かる課題に鑑みてなされたもので、上記課題を解決できる容器を提供することを目的とする。
【課題を解決するための手段】
【０００６】
このような目的を達成するために、本発明の容器は、トルマリンの鉱石粉を含んだ物質が塗布されていることを特徴とする。
また、本発明は、前記物質には、前記鉱石粉が乾燥前重量比、３３重量％〜６０重量％混合していることを特徴とする。
また、本発明は、前記物質は、漆或は非石油系水性塗料であることを特徴とする。
また、本発明は、前記鉱石粉は、０．３〜５０ミクロンの粒度であることを特徴とする。
また、本発明は、前記物質を塗布して乾かす工程を３〜５５回繰り返して形成されていることを特徴とする。
また、本発明は、前記物質は、前記鉱石粉が前記容器の表面に０．５ｇ／ｃｍ２以上付着するよう塗布されていることを特徴とする。
また、本発明は、前記物質を焼成して形成されたものを除くことを特徴とする。
また、本発明は、上縁部には前記物質が塗布されていないことを特徴とする。
また、本発明は、ワイングラス、デカンタ又はカラフェであることを特徴とする。
また、本発明のトルマリン塗布方法は、トルマリンの鉱石粉を含んだ物質を塗布する塗布工程と、該塗布工程で塗布した前記物質を乾かす工程とを含み、前記塗布工程で塗布した前記物質を焼成する工程を含まないことを特徴とする。
【発明の効果】
【０００７】
本発明によれば、物質が容器に塗布されることで、鉱石粉が性質を変えることなく容器の表面に付着するので、鉱石粉の効果を十分に発揮させられる。
【図面の簡単な説明】
【０００８】
【図１】本発明の第１実施形態の容器を模式的に示す断面図である。
【図２】本発明の第２実施形態の容器を模式的に示す断面図である。
【図３】本発明の第３実施形態の容器を模式的に示す断面図である。
【図４】本発明の第４実施形態の容器を模式的に示す断面図である。
【図５】本発明の第５実施形態の容器を模式的に示す断面図である。
【図６】本発明の容器の変形例を模式的に示す第１の断面図である。
【図７】本発明の容器の変形例を模式的に示す第２の断面図である。
【図８】本発明の容器の変形例を模式的に示す第３の断面図である。
【図９】本発明の容器の変形例を模式的に示す第４の断面図である。
【図１０】本発明の容器を用いて飲んだ赤ワインについてのアンケート結果を示す図である。
【図１１】本発明の容器に入れた水道水中の塩素量の変化を示す第１の図である。
【図１２】本発明の容器に入れた水道水中の塩素量の変化を示す第２の図である。
【図１３】本発明の容器に入れた水道水中の塩素量の変化を示す第３の図である。
【発明を実施するための形態】
【０００９】
以下、図面を参照して、本発明の第１実施形態を説明する。
【００１０】
図１に示す容器１は、本体２と、脚部３と、載置部４とを備えたワイングラスである。本体２は、有底円筒状を呈しており、内側に飲料等が収容される。脚部３は、本体２の底面から下方に延びており、円形の断面形状を有している。載置部４は、脚部３の下端に接続されており、円板状を呈している。
【００１１】
本体２の外側面には、トルマリンの鉱石粉を含んだ物質５が塗布されている。物質５としては、非石油系水性塗料，漆等の口に入れても問題ないものが用いられている。鉱石粉は、０．３〜５０ミクロンの粒度に揃えられている。
【００１２】
トルマリンは、電気的に分極した極性結晶体であり、ＮａＸ３Ａｌ６Ｂ３Ｓｉ６（Ｏ，ＯＨ）３０（ＯＨ，Ｆ）の組成で表される。ドラバイトトルマリンはＸ＝Ｍｇとなり、ショールトルマリン（黒トルマリン）はＸ＝Ｆｅ及びＭｎとなり、リチウムトルマリン（赤トルマリン）はＸ＝Ｌｉ及びＡｌとなる。
【００１３】
トルマリンは、外部からの圧力又は温度変化によって結晶表面に電荷を生じさせ、これにより遠赤外線を発生させる。また、トルマリン結晶は、周囲の水を電気分解する。この電気分解で生じた水素イオン（Ｈ＋）は、トルマリン結晶のマイナス電極から放出された電子と結合して水素原子となり、水を弱アルカリ化する。一方、水酸イオンは、周囲の水分子と結合してヒドロキシルイオン（Ｈ３Ｏ２−）と呼ばれるマイナス空気イオンとなるといわれている。
【００１４】
物質５は、鉱石粉を塗料に乾燥前重量比、３３重量％〜６０重量％混合して形成されている。トルマリンが３０重量％以下では、トルマリンの有する健康増進効果や環境浄化効果が十分に発揮されない。一方、トルマリンが６０重量％以上では、本体２の外側面に塗布するのに十分な付着力を物質５が確保し難くなる。        
【００１５】
物質５を本体２の外側面に刷毛等で塗布して乾かす工程は、３〜５５回繰り返されている。この工程により、物質５は、鉱石粉が本体２の外側面に０．５ｇ／ｃｍ２以上付着するよう本体２の外側面に塗布されている。また、物質５は、本体２の外側面に３６ｃｍ２以上の面積となるよう塗布されている。
【００１６】
本実施形態によれば、容器１の本体２の外側面に物質５が塗布されることで、物質５に含まれたトルマリンの鉱石粉が性質を変えることなく本体２の外側面に付着するので、トルマリンの鉱石粉の効果を十分に発揮させられる。
【００１７】
次に、図２を参照して、本発明の第２実施形態を説明する。
【００１８】
図２に示す容器１１は、第１実施形態の容器１と同様に、本体１２と、脚部１３と、載置部１４とを備えているが、物質１５が本体１２の外面、つまり本体１２の外側面だけでなく外底面にも塗布されている。このように、本体１２の外側面だけでなく外底面にも物質１５を塗布することで、鉱石粉の付着面積を広げることができる。このため、本体１２の外面に対する鉱石粉の付着量を増やし、トルマリンの効果を十分に発揮させることができる。
【００１９】
次に、図３を参照して、本発明の第３実施形態を説明する。
【００２０】
図３に示す容器２１は、第１，第２実施形態の容器１，１１と同様に、本体２２と、脚部２３と、載置部２４とを備えているが、物質２５が本体２２の外側面の全体ではなく外側面の上部のみに塗布されている。このため、本体２２の外周面に対する鉱石粉の付着量を少なくし、味の急激な変化を抑えることができる。
【００２１】
次に、図４を参照して、本発明の第４実施形態を説明する。
【００２２】
図４に示す容器３１は、第１〜第３実施形態の容器１，１１，２１と同様に、本体３２と、脚部３３と、載置部３４とを備えているが、物質３５が本体３２の外側面には塗布されておらず、外底面のみに塗布されている。このように、本体３２の外底面のみに物質３５を塗布することでも、第３実施形態のように本体２の外底面に物質５を塗布するのと同様にトルマリンの効果を発揮させることができる。
【００２３】
次に、図５を参照して、本発明の第５実施形態を説明する。
【００２４】
図５に示す容器４１は、第１〜第４実施形態の容器１，１１，２１，３１と同様に、本体４２と、脚部４３と、載置部４４とを備えているが、本体４２が内側に配置される内本体４２１と、外側に配置される外本体４２２とを備えた二重構造となっている。物質５は、内本体４２１の外側又は外本体４２２の内側に塗布されている。このように、二重構造となる本体４２内に配置されるよう物質４５を塗布することでも、第２実施形態のように本体２の外側面及び外底面に物質５を塗布するのと同様に、トルマリンの効果を十分に発揮させることができる。
【００２５】
なお、本発明は、上記実施形態での構成に限定されず、容器の用途等に合わせて適宜変更して差し支えない。例えば、第１の実施形態では、容器１が、本体２と、脚部３と、載置部４とを備えている場合について説明したが、脚部３及び載置部４を備えない構成としても良い。同様に、他の実施形態の容器も脚部及び載置部を備えない構成としてもよい。
【００２６】
具体的には、上記第１〜第５の実施形態の容器１，１１，２１，３１，４１は本体２と、脚部３と、載置部４とを備えたグラスである場合について説明した。しかしながら、図６に示すように、デカンタ及びカラフェとしての容器５１に本発明を適用することもできる。容器５１は、本体５２の外側面及び外底面に物質５５が塗布されている。このように、本発明が適用される容器の形状は任意である。
【００２７】
また、上記容器１，１１，２１，５１は外側面の上縁部まで物質５，１５，２５，５５が塗布されている場合について説明したが、図７〜図９に示すように上縁部には物質５，１５，２５，５５が塗布されていない構成としてもよい。
【００２８】
次に、本発明の容器を用いて飲んだ赤ワイン（サッポロビール株式会社  ポリフェノールたっぷり酸化防止剤無添加赤ワイン）についてのアンケート結果について説明する。図１０は、本発明の容器を用いて飲んだ赤ワインについてのアンケート結果を示す図である。なお、使用した容器は、図１に示す容器１のように物質５が本体２の外側面のみに塗布されている。また、アルコールを飲めない人にはコンビニ等で販売されている一般的な人工的着香料入りグレープフルーツジュースを飲んでもらっている。
【００２９】
図１０に示すように、「美味しくなったか」との質問に対しては、肯定の回答が１２，どちらでもないとの回答が９，否定の回答が０となっている。このように、半数以上の人が美味しくなったと感じており、赤ワインの美味しさに対して物質５５に含まれるトルマリン鉱石粉の効果が十分に発揮されていると考えられる。
【００３０】
また、「香りが良くなったか」との質問に対しては、肯定の回答が４，どちらでもないとの回答が１７，否定の回答が０となっている。この結果からは、赤ワインの香りに対しては、物質５５に含まれるトルマリン鉱石粉の効果が、美味しさに対して程ではないものの若干は発揮されていると考えられる。
【００３１】
また、「口当たりが柔らかくなったか」との質問に対しては、肯定の回答が２１，どちらでもないとの回答が０，否定の回答が０となっている。このように、全ての人が口当たりが柔らかくなったと感じており、赤ワインの口当たりに対して物質５５に含まれるトルマリン鉱石粉の効果が顕著に発揮されていると考えられる。
【００３２】
また、「呑みやすくなったか」との質問に対しては、肯定の回答が２１，どちらでもないとの回答が０，否定の回答が０となっている。このように、全ての人が呑みやすくなったと感じており、赤ワインの呑みやすさに対して物質５５に含まれるトルマリン鉱石粉の効果が顕著に発揮されていると考えられる。
【００３３】
また、「甘い感じになったか」との質問に対しては、肯定の回答が８，どちらでもないとの回答が１３，否定の回答が０となっている。この結果からは、赤ワインの甘さに対しては、物質５５に含まれるトルマリン鉱石粉の効果が、若干は発揮されていると考えられる。
【００３４】
また、「渋みが少なくなったか」との質問に対しては、肯定の回答が１７，どちらでもないとの回答が４，否定の回答が０となっている。このように、大半の人が渋みが少なくなったと感じており、赤ワインの渋みに対して物質５５に含まれるトルマリン鉱石粉の効果が顕著に発揮されていると考えられる。
【００３５】
また、「苦味が少なくなったか」との質問に対しては、肯定の回答が１７，どちらでもないとの回答が４，否定の回答が０となっている。このように、大半の人が苦味が少なくなったと感じており、赤ワインの苦味に対して物質５５に含まれるトルマリン鉱石粉の効果が顕著に発揮されていると考えられる。
【００３６】
次に、本発明の容器に入れた水道水の塩素量の変化について説明する。図１１〜図１３は、本発明の容器に入れた水道水の塩素量の変化を示す図である。なお、使用した容器６は、図１に示す容器１のように物質５が本体２の外側面のみに塗布されている。これに対し、容器７は、容器６と同様の形状の容器に物質５を塗布していないものである。
【００３７】
図１１は、２０１３年３月１０日（日）に行った試験の結果を示した図である。図１１に示すように、容器６では、水道水を入れた時刻１６：３０には塩素量が多すぎて計測結果が「ｏｖｅｒ」となっているものの、時刻１７：３０には０．３ｍｇ／Ｌとなり、その後も徐々に計測値が小さくなっている。そして、水道水を入れてから７時間後の時刻２３：３０には０．０５ｍｇ／Ｌまで計測値が低下している。これに対し、容器７では水道水を入れた時刻１６：３０には容器６と同様に計測結果が「ｏｖｅｒ」となっているものの、時刻１７：３０の計測値は０．４ｍｇ／Ｌと容器６よりも高い値となっている。その後、計測値は時刻２３：３０に０．２ｍｇ／Ｌまで低下しているものの、容器６程の低下は認められなかった。
【００３８】
図１２は、２０１３年３月１３日（水）に行った試験の結果を示した図である。図１２に示すように、容器６では、水道水を入れた時刻１６：１５の計測値が０．２ｍｇ／Ｌとなっており、約１時間半後の時刻１７：４５には０．１ｍｇ／Ｌまで低下している。これに対し、容器７では時刻１６：１５の計測値０．２ｍｇ／Ｌが時刻１７：４５まで保たれており、塩素量の低下は確認されなかった。
【００３９】
図１３は、２０１３年３月３０日（土）に行った試験の結果を示した図である。図１３に示すように、容器６では、水道水を入れた時刻１４：２６には計測値が高すぎて計測結果が「ｏｖｅｒ」となっているものの、時刻１４：３０には０．３ｍｇ／Ｌとなり、その後も徐々に計測値が小さくなっている。そして、水道水を入れてから約５時間後の時刻１９：２０には０．１ｍｇ／Ｌとなっている。これに対し、容器７では時刻１４：２６から時刻１９：２０まで計測結果が「ｏｖｅｒ」となっている。
【００４０】
図１１〜図１３に示す３回の試験の結果から、水道水中の塩素に対して物質５５に含まれるトルマリン鉱石粉の効果が顕著に発揮されていると考えられる。           
【符号の説明】
【００４１】
容器  １，１１，２１，３１，４１，５１
本体  ２，１２，２２，３２，４２，５２
脚部  ３，１３，２３，３３，４３
載置部  ４，１４，２４，３４，４４
物質  ５，１５，２５，３５，４５，５５
内本体  ４２１
外本体  ４２２
【図１】
2015127268.tif 000003
【図２】
2015127268.tif 000004
【図３】
2015127268.tif 000005
【図４】
2015127268.tif 000006
【図５】
2015127268.tif 000007
【図６】
2015127268.tif 000008
【図７】
2015127268.tif 000009
【図８】
2015127268.tif 000010
【図９】
2015127268.tif 000011
【図１０】
2015127268.tif 000012
【図１１】
2015127268.tif 000013
【図１２】
2015127268.tif 000014
【図１３】
2015127268.tif 000015